(57)【特許請求の範囲】
【請求項１】
第１帳票片及び第２帳票片が積層された帳票組、第１帳票片及び第２帳票片が折り畳まれた帳票組、最終的に分離して使用される第１帳票片及び第２帳票片が同一平面上に展開されている帳票組のうちいずれか１つの帳票組を備える配送伝票において、
前記第１帳票片は、
この配送伝票に付与された番号を有する第１コード部と、前記第１コード部に付随するように設けられ、前記第１コード部とは異なる情報を有する第１スタート／ストップキャラクタ部とを有する第１帳票片バーコード部と、
前記第１コード部に付記され、前記第１コード部の情報に一致した情報を示す第１目視データ部と、前記第１スタート／ストップキャラクタ部に付記され、前記第１スタート／ストップキャラクタ部とは不一致である情報を示す第１スタート／ストップキャラクタ目視データ部とを有する第１帳票片目視データ部とを備え、
前記第２帳票片は、
前記第１コード部と同一の情報を有する第２コード部と、前記第１スタート／ストップキャラクタ部とは異なる情報を有する第２スタート／ストップキャラクタ部とを有する第２帳票片バーコード部と、
前記第２コード部に付記され、前記第１コード部及び前記第２コード部の情報に一致した情報を示す第２目視データ部と、前記第２スタート／ストップキャラクタ部に付記され、前記第１スタート／ストップキャラクタ目視データ部と同一であり、かつ、前記第２スタート／ストップキャラクタ部の情報に一致した第２スタート／ストップキャラクタ目視データ部とを有する第２帳票片目視データ部とを備えること、
を特徴とする配送伝票。
【請求項２】
第１帳票片及び第２帳票片が積層された帳票組を備える配送伝票において、
前記第１帳票片は、
この配送伝票に付与された番号を有する第１コード部と、前記第１コード部に付随するように設けられ、前記第１コード部とは異なる情報を有する第１スタート／ストップキャラクタ部とを有する第１帳票片バーコード部と、
前記第１コード部に付記され、前記第１コード部の情報に一致した情報を示す第１目視データ部を有し、前記第１スタート／ストップキャラクタ部に付記される目視データを有さない第１帳票片目視データ部とを備え、
配送物に貼付され荷札となる貼付票であり、
前記第２帳票片は、
前記第１コード部と同一の情報を有する第２コード部と、前記第１スタート／ストップキャラクタ部とは異なる情報を有する第２スタート／ストップキャラクタ部とを有する第２帳票片バーコード部と、
前記第２コード部に付記され、前記第１コード部及び前記第２コード部の情報に一致した情報を示す第２目視データ部と、前記第２スタート／ストップキャラクタ部に付記され、前記第２スタート／ストップキャラクタ部の情報に一致した第２スタート／ストップキャラクタ目視データ部とを有する第２帳票片目視データ部とを備え、
前記第１帳票片よりも下側に積層され、前記配送物の配送後に、前記第１帳票片から分離されて配送者が持ち帰る配達票であり、
前記第２帳票片バーコード部及び第２帳票片目視データ部は、前記第２帳票片が前記第１帳票片から分離される前の状態では、隠蔽され、前記第２帳票片が前記第１帳票片から分離されることにより、露出し、
前記第１コード部、第１スタート／ストップキャラクタ部、第２コード部及び第２スタート／ストップキャラクタ部は、同一規格のバーコードであること、
を特徴とする配送伝票。
【発明の詳細な説明】
【０００１】
【発明の属する技術分野】
本発明は、代引き用伝票、引換券付き伝票、懸賞付き伝票などに好適な配送伝票に関するものである。
【０００２】
【従来の技術】
ブロードバンドの進展に伴い、インターネット網を活用したネット通販が拡大している。ネットでは、自宅にいながらワンクリックで商品を注文できる点が受けているが、代金を支払う部分については、ネットバンクやクレジットカードによる支払いを躊躇する場合が多い。これは、インターネットでは、セキュリティ性に対して不安があることに違いない。
【０００３】
インターネットの利便性を高めるために、様々な暗号化技術等が開発され、また、実用化されてきているが、未だに、漠然とした不安を持っている人は、少なくない。そんな中で、最も消費者の支持を得ている方法の一つとして、代金引換システム（代引システム）がある。
これは、実際に荷物を届ける宅配業者が荷物と引き換えに代金を回収するシステムである。この代引きシステムは、『代金を払ったのに商品が来ない』といった基本的な不安から、例えば、『○○○運輸で扱っているなら大丈夫』という、その通販業者の「信用」を推し量ることができる、という意味の不安解消にも役立っている。
【０００４】
さて、そんな便利な代引システムであるが、取り扱う件数の伸びとともに、実際に配達するドライバーが代金を回収する機会が増え、ドライバー自身が業務中に、大金を持ち歩くようになってきた。
【０００５】
また、取扱い件数の伸びに伴って、届け先が不在のために、配送できずに持ち戻る荷物も増えてきている。配送できずに持ち戻った荷物は、配送センターに戻って、荷物に貼付されたバーコードを読み取って「持ち戻り登録」を行い、代金が回収できなかったことの証拠とするようになっている。持ち戻り登録を行わないと、配送ドライバーの回収した代金の収支が合わなくなるからである。
【０００６】
従来、この種の代引き用の配送伝票としては、配送品の金額を伝票に記入する金額代金着払いの配送伝票において、配送作業中に、高価な配送品が盗まれることを減少させるものが提案されている（例えば、特許文献１）。
【０００７】
【特許文献１】
特開２００２−０６７５４３号公報
【０００８】
【発明が解決しようとする課題】
しかし、この代引きの仕組は、悪用される可能性があった。例えば、実際には配送も済ませ、代金も回収しているのに、「持ち戻り登録」を行うことで、代金が回収できていないことにして、しばらくの間、その代金を私的に流用してしまうことができる。
荷物に配送伝票が貼付されていて、その中にバーコードが設けられているのに、なぜ「持ち戻り登録」が可能なのか、と言えば、荷物を届けた後も「配達票」と呼ばれる判取片が手元に残り、この「配達票」を含め、通常は、すべての枚目用紙に同一のバーコードが設けられているからである。
【０００９】
つまり、いわば確信犯は、本来荷物に貼付された「貼付票」のバーコードを読み取って実施しなくてはならない「持ち戻り登録」を、「配達票」で代用している訳である。
【００１０】
本発明の課題は、不正な持ち戻り登録を防止することができる配送伝票を提供することである。
【００１１】
【課題を解決するための手段】
前記課題を解決するために、請求項１の発明は、  第１帳票片及び第２帳票片が積層された帳票組、第１帳票片及び第２帳票片が折り畳まれた帳票組、最終的に分離して使用される第１帳票片及び第２帳票片が同一平面上に展開されている帳票組のうちいずれか１つの帳票組を備える配送伝票において、前記第１帳票片は、この配送伝票に付与された番号を有する第１コード部と、前記第１コード部に付随するように設けられ、前記第１コード部とは異なる情報を有する第１スタート／ストップキャラクタ部とを有する第１帳票片バーコード部と、前記第１コード部に付記され、前記第１コード部の情報に一致した情報を示す第１目視データ部と、前記第１スタート／ストップキャラクタ部に付記され、前記第１スタート／ストップキャラクタ部とは不一致である情報を示す第１スタート／ストップキャラクタ目視データ部とを有する第１帳票片目視データ部とを備え、前記第２帳票片は、前記第１コード部と同一の情報を有する第２コード部と、前記第１スタート／ストップキャラクタ部とは異なる情報を有する第２スタート／ストップキャラクタ部とを有する第２帳票片バーコード部と、前記第２コード部に付記され、前記第１コード部及び前記第２コード部の情報に一致した情報を示す第２目視データ部と、前記第２スタート／ストップキャラクタ部に付記され、前記第１スタート／ストップキャラクタ目視データ部と同一であり、かつ、前記第２スタート／ストップキャラクタ部の情報に一致した第２スタート／ストップキャラクタ目視データ部とを有する第２帳票片目視データ部とを備えること、を特徴とする配送伝票である。
請求項２の発明は、第１帳票片及び第２帳票片が積層された帳票組を備える配送伝票において、前記第１帳票片は、この配送伝票に付与された番号を有する第１コード部と、前記第１コード部に付随するように設けられ、前記第１コード部とは異なる情報を有する第１スタート／ストップキャラクタ部とを有する第１帳票片バーコード部と、前記第１コード部に付記され、前記第１コード部の情報に一致した情報を示す第１目視データ部を有し、前記第１スタート／ストップキャラクタ部に付記される目視データを有さない第１帳票片目視データ部とを備え、配送物に貼付され荷札となる貼付票であり、前記第２帳票片は、前記第１コード部と同一の情報を有する第２コード部と、前記第１スタート／ストップキャラクタ部とは異なる情報を有する第２スタート／ストップキャラクタ部とを有する第２帳票片バーコード部と、前記第２コード部に付記され、前記第１コード部及び前記第２コード部の情報に一致した情報を示す第２目視データ部と、前記第２スタート／ストップキャラクタ部に付記され、前記第２スタート／ストップキャラクタ部の情報に一致した第２スタート／ストップキャラクタ目視データ部とを有する第２帳票片目視データ部とを備え、前記第１帳票片よりも下側に積層され、前記配送物の配送後に、前記第１帳票片から分離されて配送者が持ち帰る配達票であり、前記第２帳票片バーコード部及び第２帳票片目視データ部は、前記第２帳票片が前記第１帳票片から分離される前の状態では、隠蔽され、前記第２帳票片が前記第１帳票片から分離されることにより、露出し、前記第１コード部、第１スタート／ストップキャラクタ部、第２コード部及び第２スタート／ストップキャラクタ部は、同一規格のバーコードであること、を特徴とする配送伝票である。
【００１６】
【発明の実施の形態】
以下、図面等を参照して、配送伝票の実施の形態について、さらに、詳しく説明する。
（第１実施形態）
図１は、第１実施形態による配送伝票を示す図、図２は、第１実施形態による配送伝票のバーコードを示す図である。
この配送伝票１０は、図１（ａ）に示すように、配送荷物に貼付され荷札となる貼付票１１と、配達先で受領印をもらい、分離して持ち帰る配達票１２と、配送荷物と引き換えに領収した代金の領収証１３等とを備えている。
この配送伝票１０は、伝票の各枚目１１，１２，１３に、バーコード２０とクラッシュナンバー（物理的複写による番号）３０が設けられている。
【００１７】
バーコード２０は、図１（ｂ）に示すように、１２桁程度の番号をデータとするもので、クラッシュナンバー３０は、バーコード２０が読めない場合のバッファーのために、バーコード２０と同一のデータ１２桁の番号となっている。つまり、クラッシュナンバー３０は、同じ番号で全枚目に複写される必要がある。
【００１８】
また、各枚目のバーコード２０は、やはりマシンリードできるようにしておく必要がある。
バーコード２０は、スタートキャラクタ２１と、データ（番号）２２と、チェックデジット２３と、ストップキャラクタ２４と、目視データ２５などとを備えている。
チェックデジット２３は、データの正当性を検証するための数字であり、例えば、７チェック方式が使用され、データ２２の部分を７で割ったときの余り（０〜６）になる。
目視データ２５は、バーコード２０と同じ情報であって、バーコード２０の下段に記載されている文字である。この目視データ２５は、バーコード２０が機械読み取りできなかった場合に、目視で読み取り、その番号を手入力するために設けられている。
【００１９】
本実施形態では、クラッシュナンバー３０は、従来と同一に設け、貼付票１１のバーコード２０のみに細工することとした。
第１実施形態では、図２に示すように、貼付票１１のバーコード２０Ｂは、配達票（その他の票も含む、以下同じ。）１２のバーコード２０Ａと比較して、データ２２が同一であり、スタートキャラクタ２１とストップキャラクタ２４が異なっている。
つまり、配達票１２のバーコード２０Ａは、スタートキャラクタ２１とストップキャラクタ２４のバーが「Ａ」で、目視データ２５の文字も「Ａ」であるが、貼付票１１のバーコード２０Ｂは、スタートキャラクタ２１とストップキャラクタ２４のバーが「Ｂ」で、目視データ２５の文字も「Ｂ」である。
【００２０】
この配送伝票２０は、バーコード（チェックデジット２３を含む）２０を読取機（バーコードリーダ）で読み取り（コード読取工程）、読み取った読取データをもとに、予めデータ保管部に蓄積されたデータと照合する（照合工程）。
そして、照合したデータのスタート／ストップキャラクタ２１，２４を読取機に返し、実際に読み取っているスタート／ストップキャラクタ２１，２４が正しい場合に、読取処理を受け付ける（受付工程）。
従って、本来、貼付票１１のバーコード２０Ｂで読取処理するところ、不正に配達票１２のバーコード２０Ａを読取処理しようとしても、スタートキャラクタ２１とストップキャラクタ２４が異なるので、読取処理を受け付けることができない。
【００２１】
このように、本実施形態によれば、貼付票１１のみを、その他の枚目１２，１３と同じ番号（データ）でありながら、細部が若干異なるバーコード２０Ｂを付与することで、この不正な持ち戻り登録を防止することができる。
【００２３】
（第３実施形態）
図３は、第３実施形態による配送伝票のバーコードを示す図である。
なお、前述した第１実施形態と同様な機能を果たす部分には、同一の符号を付して、重複する説明や図面を適宜省略する。
第３実施形態では、図３に示すように、貼付票１１のバーコード２０Ｄは、配達票１２のバーコード２０Ａと比較して、データ２２のコード部が一致し、スタート／ストップキャラクタ２１，２４のコード部が不一致であり、目視データ２５が一致する。
つまり、配達票１２のバーコード２０Ａは、データ２２及びスタート／ストップキャラクタ２１，２４のコード部の下に付記される目視データ２５が、データ２２及びスタート／ストップキャラクタ２１，２４の情報と全て一致している。一方、貼付票１１のバーコード２０Ｄは、データ２２のコード部の下に付記される目視データ２５が、データ２２の情報と一致しているが、スタート／ストップキャラクタ２１，２４のコード部の下に付記される目視データ２５と、スタート／ストップキャラクタ２１，２４の情報とが不一致である。
バーコード２０Ｄは、スタート／ストップキャラクタ２１，２４のバーが「Ａ」でないのに、目視データ２５は、「Ａ」と記載してある。
従って、貼付票１１のバーコード２０Ｄの代わりに、目視データ２５が同一の配達票１２のバーコード２０Ａで読取処理しようとしても、スタート／ストップキャラクタ２１，２４が異なるので、読取処理を受け付けることができない。
【００２４】
（変形形態）
以上説明した実施形態に限定されることなく、種々の変形や変更が可能であって、それらも本発明の均等の範囲内である。
（１）上記実施形態では、３枚以上の帳票片１１，１２，１３が積層された例で説明したが、帳票片が折り畳まれた配送伝票や、最終的に分離して使用される２種以上の帳票片が同一平面上に展開されている１ｐｔ（パート）配送伝票であっても同様に適用することができる。
【００２５】
（２）上記実施形態では、１つの配送伝票１０で説明したが、配送伝票は、長手方向に区画された単位帳票が、連続的に設けられた連続帳票であってもよい。この場合には、バーコード２０は、データ２２が連続的に単位帳票毎に連番となっており（チェックデジット２３を除く）、少なくとも２種以上のスタート／ストップキャラクタ２１，２４が、一定周期で繰り返されることが好ましい。
【００２６】
（３）第３実施形態では、スタート／ストップキャラクタ２１，２４のバーが「Ａ」でないのに、目視データ２５を「Ａ」と記載するので、混乱する可能性がある場合には、バーコード２０Ｅに示すように、スタート／ストップキャラクタ２１，２４の目視データ２５は、記載しないようにしてもよい。
【００２７】
【発明の効果】
以上詳しく説明したように、本発明によれば、帳票組のうち少なくとも１つの帳票片は、他の帳票片と比較して、コード部の一部を異なるようにしたので、不正な持ち戻り登録を防止することができる、という効果がある。
【図面の簡単な説明】
【図１】第１実施形態による配送伝票を示す図である。
【図２】第１実施形態による配送伝票のバーコードを示す図である。
【図３】第３実施形態による配送伝票のバーコードを示す図である。
【符号の説明】
１０  配送伝票
１１  貼付票
１２  配達票
１３  領収証
２０，２０Ａ〜２０Ｅ  バーコード
２１  スタートキャラクタ
２２  データ（番号）
２３  チェックデジット
２４  ストップキャラクタ
２５  目視データ
【図１】
0004576098.tif 000002
【図２】
0004576098.tif 000003
【図３】
0004576098.tif 000004